(57)【特許請求の範囲】
【請求項１】
レンズと、前記レンズの光軸に略垂直に配置された第１から第ｎの光学領域（ｎは２以上の整数）を含む光学領域と、を有するレンズ光学系と、
前記レンズ光学系を透過した光が入射する、各々が第１の画素から第ｎの画素のｎ個の画素を含む複数の画素群を有する撮像素子と、
前記レンズ光学系と前記撮像素子との間に位置し、複数の光学要素が配列されたアレイ状光学素子であって、各光学要素が、前記第１から第ｎの光学領域を透過した光を、各画素群の前記ｎ個の画素にそれぞれ入射させるアレイ状光学素子と、
前記第１から第ｎの光学領域を透過する光の波長域において波長方向に略一様であり、かつ、空間方向に略一様である光吸収率を有する光吸収部材であって、前記撮像素子の撮像面で反射した光が入射する光吸収部材と、
を備え、
前記アレイ状光学素子は、前記撮像素子と前記光吸収部材の間に配置されている、撮像装置。
【請求項２】
前記光吸収部材は、前記光学領域と前記撮像素子との間に配置され、前記第１の光学領域を透過した光の波長域と同じ第１の波長域の光および前記第２の光学領域を透過した光の波長域と同じ第２の波長域の光を少なくとも吸収する、請求項１に記載の撮像装置。
【請求項３】
前記第１および第２の光学領域の少なくとも１つは、可視光を透過させる光学特性を有し、
前記光吸収部材は、少なくとも可視光を吸収する、請求項２に記載の撮像装置。
【請求項４】
前記レンズ光学系は、絞りをさらに有し、
前記光学領域は、前記絞りまたは前記絞り近傍に配置されている、請求項２または３に記載の撮像装置。
【請求項５】
前記第１の光学領域は、前記第２の光学領域とは異なる分光透過率特性を有する、請求項２から４のいずれかに記載の撮像装置。
【請求項６】
前記第１の光学領域は、前記第２の光学領域とは異なる偏光特性を有する、請求項２から４のいずれかに記載の撮像装置。
【請求項７】
前記光学領域に配置された、透過波長域の異なる少なくとも２つの狭帯域波長フィルタをさらに備える、請求項２から４のいずれかに記載の撮像装置。
【請求項８】
前記アレイ状光学素子はレンチキュラレンズである、請求項２から７のいずれかに記載の撮像装置。
【請求項９】
前記アレイ状光学素子はマイクロレンズアレイである、請求項２から７のいずれかに記載の撮像装置。
【請求項１０】
前記アレイ状光学素子は前記撮像素子上に一体的に形成されている、請求項２から９のいずれかに記載の撮像装置。
【請求項１１】
前記アレイ状光学素子と前記撮像素子との間には、マイクロレンズが設けられており、
前記アレイ状光学素子は、前記マイクロレンズを介して前記撮像素子上に一体的に形成されている、請求項２から９のいずれかに記載の撮像装置。
【請求項１２】
前記光吸収部材は前記撮像素子上に一体的に形成されている、請求項２から９のいずれかに記載の撮像装置。
【請求項１３】
前記光吸収部材は、吸収型のＮＤフィルタであり、前記ＮＤフィルタに入射する光の量に対する前記ＮＤフィルタから出射する光の量の割合は、３０％以上５０％以下である、請求項２から１２のいずれかに記載の撮像装置。
【請求項１４】
前記光吸収部材は、
特定の偏光軸の方向に振動する光を透過させる吸収型の直線偏光子と、
直線偏光を円偏光または楕円偏光に変換する位相板と、
を含み、
前記直線偏光子は、前記光吸収部材の前記光学領域側に配置され、前記位相板は、前記光吸収部材の前記撮像素子側に配置されている、請求項２から１１のいずれかに記載の撮像装置。
【請求項１５】
前記位相板は、１／４波長板である、請求項１４に記載の撮像装置。
【請求項１６】
前記位相板は、アクロマティック波長板である、請求項１４に記載の撮像装置。
【請求項１７】
前記第１の光学領域は、近赤外領域における第１の波長域の第１の近赤外線を透過させる第１の分光透過率特性を有し、前記第２の光学領域は、前記第１の波長域とは異なる近赤外領域における第２の波長域の第２の近赤外線を透過させる第２の分光透過率特性を有し、
前記光吸収部材は、前記第１および第２の近赤外線を少なくとも吸収する、請求項２に記載の撮像装置。
【請求項１８】
前記光学領域は、第２の光学領域、第３の光学領域、第４の光学領域、第５の光学領域、第６の光学領域、第７の光学領域、第８の光学領域および第９の光学領域をさらに含み、
前記撮像素子は、前記第３の光学領域に対応した複数の第３の画素、前記第４の光学領域に対応した複数の第４の画素、前記第５の光学領域に対応した複数の第５の画素、前記第６の光学領域に対応した複数の第６の画素、前記第７の光学領域に対応した複数の第７の画素、前記第８の光学領域に対応した複数の第８の画素、および前記第９の光学領域に対応した複数の第９の画素をさらに有し、
前記複数の第１の画素の１つと、前記複数の第２の画素の１つと、前記複数の第３の画素の１つと、前記複数の第４の画素の１つと、前記複数の第５の画素の１つと、前記複数の第６の画素の１つと、前記複数の第７の画素の１つと、前記複数の第８の画素の１つと、前記複数の第９の画素の１つとは、３×３の行列状に配置された９つの画素を形成し、前記９つの画素は、前記撮像素子において行および列方向に繰り返し配置され、
前記アレイ状光学素子はマイクロレンズアレイであり、前記マイクロレンズアレイの各マイクロレンズは、前記９つの画素に対応し、
前記マイクロレンズアレイは、前記第１の光学領域、前記第２の光学領域、前記第３の光学領域、前記第４の光学領域、前記第５の光学領域、前記第６の光学領域、前記第７の光学領域、前記第８の光学領域および前記第９の光学領域を透過したそれぞれの光を、前記複数の第１の画素、前記複数の第２の画素、前記複数の第３の画素、前記複数の第４の画素、前記複数の第５の画素、前記複数の第６の画素、前記複数の第７の画素、前記複数の第８の画素および前記複数の第９の画素にそれぞれ入射させ、
前記光吸収部材は、前記第１の波長域の光、前記第２の波長域の光、前記第３の光学領域を透過した光の波長域と同じ第３の波長域の光、前記第４の光学領域を透過した光の波長域と同じ第４の波長域の光、前記第５の光学領域を透過した光の波長域と同じ第５の波長域の光、前記第６の光学領域を透過した光の波長域と同じ第６の波長域の光、前記第７の光学領域を透過した光の波長域と同じ第７の波長域の光、前記第８の光学領域を透過した光の波長域と同じ第８の波長域の光および前記第９の光学領域を透過した光の波長域と同じ第９の波長域の光を少なくとも吸収する、請求項２に記載の撮像装置。
【請求項１９】
前記光吸収部材は、前記レンズの光軸に対し非対称な複数の開口を有する、請求項１に記載の撮像装置。
【請求項２０】
請求項１から１９のいずれかに記載の撮像装置と、
前記撮像装置から出力される画素信号を処理して画像情報を生成する信号処理部と、
前記画像情報に基づいて画像を表示する表示装置と、
を備える、撮像システム。
【発明の詳細な説明】
【技術分野】
【０００１】
本願は、カメラ等の撮像装置およびそれを備えた撮像システムに関する。
【背景技術】
【０００２】
近年、画像センシングカメラの研究および開発が進められている。例えば、光の偏光条件および撮影に用いる波長などの複数の撮影条件の下で被写体を撮影して画像を取得する。その画像を解析することにより、被写体の情報が得られる。
【０００３】
従来の画像センシング用カメラの一例として、例えば、被写体の二次元分光画像を、一度の撮影によって取得することができるマルチバンドカメラが挙げられる。例えば、そのようなマルチバンドカメラは、特許文献１および２に開示されている。また、特許文献３は、撮像光学系の入射瞳の位置に配置された分光フィルタアレイと、撮像素子近傍に設けられたマイクロレンズアレイとを備える撮像装置を開示している。分光フィルタアレイによって分光された光線を、マイクロレンズアレイによって異なる画素へ導くことにより、所望の分光画像を取得することができる。
【０００４】
以下、従来のマルチバンドカメラの構成例を説明する。
【０００５】
特許文献２のマルチバンドカメラは、被写体を撮像する際に撮像する波長領域を、互いに異なる４以上に分割された波長帯域において撮像する。マルチバンドカメラは、光学系の瞳の位置に配置されたバンドパスフィルタアレイと、マイクロレンズアレイと、二次元状に配列された複数の画素から構成された光電変換素子と、被写体からの光束の分光強度を測定する測定部とを備えている。
【０００６】
バンドパスフィルタアレイは、４以上に分割された波長帯域の光をそれぞれ透過させる４以上のバンドパスフィルタを有している。光電変換素子は、マイクロレンズアレイの焦点付近かつバンドパスフィルタアレイと共役位置または共役位置の近傍に配置されている。バンドパスフィルタアレイを透過し、マイクロレンズアレイにより導かれた光束が二次元状に配列された複数の画素に入射する。測定部は、バンドパスフィルタアレイの各バンドパスフィルタに対応する複数の画素から出力される信号に基づいて、被写体からの光束の分光強度を測定する。
【先行技術文献】
【特許文献】
【０００７】
【特許文献１】米国特許第７４３３０４２号明細書
【特許文献２】特許第５４１８９３２号明細書
【特許文献３】特許第５００１４７１号明細書
【発明の概要】
【発明が解決しようとする課題】
【０００８】
上述した従来の技術では、ゴースト光の発生を抑制することが求められていた。
【０００９】
本願の、限定的ではない例示的なある実施の形態は、ゴースト光の発生を抑制できる撮像装置および撮像システムを提供する。
【課題を解決するための手段】
【００１０】
上記課題を解決するために、本発明の一態様は、レンズと、前記レンズの光軸に略垂直に配置された第１から第ｎの光学領域（ｎは２以上の整数）を含む光学領域と、を有するレンズ光学系と、前記レンズ光学系を透過した光が入射する、各々が第１の画素から第ｎの画素のｎ個の画素を含む複数の画素群を有する撮像素子と、前記レンズ光学系と前記撮像素子との間に位置し、複数の光学要素が配列されたアレイ状光学素子であって、各光学要素が、前記第１から第ｎの光学領域を透過した光を、各画素群の前記ｎ個の画素にそれぞれ入射させるアレイ状光学素子と、前記第１から第ｎの光学領域を透過する光の波長域において波長方向に略一様であり、かつ、空間方向に略一様である光吸収率を有する光吸収部材であって、前記撮像素子の撮像面で反射した光が入射する光吸収部材と、を備える、撮像装置を含む。
【発明の効果】
【００１１】
本開示の一態様によれば、ゴースト光の発生を抑制することができる。
【図面の簡単な説明】
【００１２】
【図１】図１は、例示的な実施の形態１による撮像装置１００Ａを示す模式図である。
【図２】図２は、バンドパスフィルタアレイ４の斜視図である。
【図３】図３は、アレイ状光学素子７および撮像素子９の構成例を示す斜視図である。
【図４】図４は、アレイ状光学素子７における任意の１つのマイクロレンズ１１と、それに対応する複数の画素８との関係を説明するための斜視図である。
【図５】図５は、各画素８の表面にマイクロレンズ１３を配置した撮像素子９の構成例を示す斜視図である。
【図６】図６は、光吸収フィルタと撮像素子９とを一体的に形成した構成例を示す斜視図である。
【図７】図７は、光吸収フィルタを備えていない撮像装置において、ゴースト像が発生するメカニズムを説明するための模式図である。
【図８】図８は、例示的な実施の形態１による撮像装置１００Ａにおいて、ゴースト光１５が除去されるメカニズムを説明するための模式図である。
【図９】図９は、例示的な実施の形態２による撮像装置１００Ｂを示す模式図である。
【図１０】図１０は、図９における撮像系の一部を拡大して示した模式図である。
【図１１Ａ】図１１Ａは、例示的な実施の形態３による撮像装置１００Ｃを示す模式断面図である。
【図１１Ｂ】図１１Ｂは、光学領域Ｌ１の各光学領域と絞りＳの開口部との位置関係を示す正面図である。
【図１２Ａ】図１２Ａは、図１１Ａに示すアレイ状光学素子Ｋおよび撮像素子Ｎを拡大して示す図である。
【図１２Ｂ】図１２Ｂは、撮像素子Ｎ上の複数の画素を示す図である。
【図１３Ａ】図１３Ａは、各光学面領域の形状が円形である場合のゴースト光について説明する図である。
【図１３Ｂ】図１３Ｂは、各光学面領域の形状が図１１Ｂに示す形状である場合のゴースト光について説明する図である。
【図１４Ａ】図１４Ａは、例示的な実施の形態４による撮像装置１００Ｄを示す模式断面図である。
【図１４Ｂ】図１４Ｂは、光学領域Ｌ１の各光学領域と絞りＳの開口部との位置関係を示す正面図である。
【図１５Ａ】図１５Ａは、遮光領域が無い場合の隣接画素間のクロストーク光を模式的に示す図である。
【図１５Ｂ】図１５Ｂは、遮光領域がある場合の隣接画素間のクロストーク光を模式的に示す図である。
【図１６Ａ】図１６Ａは、遮光領域が無い場合のゴースト光について説明する図である。
【図１６Ｂ】図１６Ｂは、遮光領域がある場合のゴースト光について説明する図である。
【図１７】図１７は、例示的な実施の形態３による分光撮像システム３０の全体構成を示す概略図である。
【発明を実施するための形態】
【００１３】
例えば、上述したバンドパスフィルタとしては、吸収型のカラーフィルタおよび干渉フィルタを用いることができる。吸収型のカラーフィルタは、波長依存性を有する光吸収特性を備える材料を用いて形成され得る。また、干渉フィルタは、光学多層膜から形成され得る。
【００１４】
干渉フィルタの設計自由度は、光利用効率および分光透過特性の点において高い。また、干渉フィルタには、特定波長の光のみを透過させる狭帯域フィルタとして機能するという利点がある。このような観点から、マルチバンドカメラ用のバンドパスフィルタとしては、吸収型のカラーフィルタよりも干渉フィルタが多く用いられている。
【００１５】
以下、本願発明者が考察した問題点を説明する。
【００１６】
干渉フィルタは、所定の波長域の光を透過する。一方、透過する波長域以外の光は、高い反射率で干渉フィルタに反射する。このような特性により、干渉フィルタを光路中に配置すると、ゴースト光が発生する大きな要因となり得る。具体的には、例えば、ある波長域Ａの光は、バンドパスフィルタアレイの任意の領域におけるバンドパスフィルタａを透過する。しかし、その光は、他の領域のバンドパスフィルタｂにおいては、高い反射率で反射してしまう。
【００１７】
このように、バンドパスフィルタｂは、波長域Ａの光に対しては、光路中に配置されている反射ミラーとして機能する。その結果、ゴースト光が発生しやすくなる。例えば、波長域Ａの第１のバンドパスフィルタを透過し、マイクロレンズアレイを介して、光電変換素子に到達した光の一部は、光電変換素子の表面において正反射する。その反射光は、バンドパスフィルタアレイにおいて、入射瞳の中心軸を基準として第１のバンドパスフィルタと回転対称の位置に配置されている第２のバンドパスフィルタに戻り光として到達する。第２のバンドパスフィルタは、波長域Ｂの光を透過させる。戻り光は、第２のバンドパスフィルタにおいて再び反射して、光電変換素子に入射する。このように、戻り光は、ゴースト光となり、ゴースト像を発生する。本願明細書では、「ゴースト光」は、主としてこの戻り光を指す。また、「ゴースト像」は、「ゴースト光」に起因して発生する像を意味する。
【００１８】
光電変換素子に入射する戻り光は、被写体の二次元分光情報の基となる光に重畳する。その結果、測定結果にはその重畳した光がゴースト像として確認される。ゴースト像の発生は、特許文献１および２に開示されたマルチバンドカメラが有する本質的な課題である。しかしながら、特許文献１および２は、この課題に何ら言及していない。また、バンドパスフィルタ以外の反射率の高い光機能素子を瞳の位置に配置する場合においても、上記と同様に、ゴースト像が発生する。例えば、反射率の高い光機能素子として、反射型の偏光素子であるワイヤグリッド偏光子が挙げられる。なお、ゴースト像が発生するメカニズムの詳細については後述する。
【００１９】
このような従来技術の課題に鑑み、本願発明者は、新規な構造を備えた撮像装置に想到した。
【００２０】
本開示は、以下の項目に記載の撮像装置および撮像システムを含む。
【００２１】
〔項目１〕
レンズと、前記レンズの光軸に略垂直に配置された第１から第ｎの光学領域（ｎは２以上の整数）を含む光学領域と、を有するレンズ光学系と、
前記レンズ光学系を透過した光が入射する、各々が第１の画素から第ｎの画素のｎ個の画素を含む複数の画素群を有する撮像素子と、
前記レンズ光学系と前記撮像素子との間に位置し、複数の光学要素が配列されたアレイ状光学素子であって、各光学要素が、前記第１から第ｎの光学領域を透過した光を、各画素群の前記ｎ個の画素にそれぞれ入射させるアレイ状光学素子と、
前記第１から第ｎの光学領域を透過する光の波長域において波長方向に略一様であり、かつ、空間方向に略一様である光吸収率を有する光吸収部材であって、前記撮像素子の撮像面で反射した光が入射する光吸収部材と、
を備える、撮像装置。
【００２２】
項目１に記載の撮像装置によると、ゴースト光を効果的に抑制でき、ゴースト像の少ない高精度な画像を取得することができる。
【００２３】
〔項目２〕
前記光吸収部材は、前記光学領域と前記撮像素子との間に配置され、前記第１の光学領域を透過した光の波長域と同じ第１の波長域の光および前記第２の光学領域を透過した光の波長域と同じ第２の波長域の光を少なくとも吸収する、項目１に記載の撮像装置。
【００２４】
項目２に記載の撮像装置によると、画像ノイズおよびゴースト像の少ない高精度な画像を取得することが可能な撮像装置を提供することができる。例えば、高精度な画像センシング用の撮像装置を提供することができる。
【００２５】
〔項目３〕
前記第１および第２の光学領域の少なくとも１つは、可視光を透過させる前記光学特性を有し、
前記光学素子は、少なくとも可視光を吸収する、項目２に記載の撮像装置。
【００２６】
項目３に記載の撮像装置によると、可視光を用いた撮影において、画像ノイズおよびゴースト像の少ない高精度な画像を取得することが可能な撮像装置を提供することができる。
【００２７】
〔項目４〕
前記レンズ光学系は、絞りをさらに有し、
前記光学領域は、前記絞りまたは前記絞り近傍に配置されている、項目２または３に記載の撮像装置。
【００２８】
〔項目５〕
前記第１の光学領域は、前記第２の光学領域とは異なる分光透過率特性を有する、項目２から４のいずれかに記載の撮像装置。
【００２９】
項目５に記載の撮像装置によると、分光透過率特性が互いに異なる画像を一度の撮影で同時に取得でき、かつ、画像ノイズおよびゴースト像の少ない高精度な画像を取得することが可能な撮像装置を提供することができる。
【００３０】
〔項目６〕
前記第１の光学領域は、前記第２の光学領域とは異なる偏光特性を有する、項目２から４のいずれかに記載の撮像装置。
【００３１】
項目６に記載の撮像装置によると、偏光特性が互いに異なる画像を一度の撮影で同時に取得でき、かつ、画像ノイズおよびゴースト像の少ない高精度な画像を取得することが可能な撮像装置を提供することができる。
【００３２】
〔項目７〕
前記光学領域に配置された、透過波長域の異なる少なくとも２つの狭帯域波長フィルタをさらに備える、項目２から４のいずれかに記載の撮像装置。
【００３３】
項目７に記載の撮像装置によると、分光透過率特性が互いに異なり、狭帯域である画像を一度の撮影で同時に取得でき、かつ、画像ノイズおよびゴースト像の少ない高精度な画像を取得することが可能な撮像装置を提供することができる。
【００３４】
〔項目８〕
前記アレイ状光学素子はレンチキュラレンズである、項目２から７のいずれかに記載の撮像装置。
【００３５】
項目８に記載の撮像装置によると、第１および第２の光学領域を通過した光を、第１および第２の複数の画素にそれぞれ１次元的に効率よく入射させることができる。
【００３６】
〔項目９〕
前記アレイ状光学素子はマイクロレンズアレイである、項目２から７のいずれかに記載の撮像装置。
【００３７】
項目９に記載の撮像装置によると、第１および第２の光学領域を通過した光を、第１および第２の複数の画素にそれぞれ２次元的に効率よく入射させることができる。
【００３８】
〔項目１０〕
前記アレイ状光学素子は前記撮像素子上に一体的に形成されている、項目２から９のいずれかに記載の撮像装置。
【００３９】
項目１０に記載の撮像装置によると、アレイ状光学素子と、撮像素子との位置調整が不要になり、また、素子間の経時的な位置変化を低減させることができる。
【００４０】
〔項目１１〕
前記アレイ状光学素子と前記撮像素子との間には、マイクロレンズが設けられており、
前記アレイ状光学素子は、前記マイクロレンズを介して前記撮像素子上に一体的に形成されている、項目２から９のいずれかに記載の撮像装置。
【００４１】
項目１１に記載の撮像装置によると、マイクロレンズにより、撮像素子への光入射効率が向上し、映像信号のＳＮ比を向上させることができる。
【００４２】
〔項目１２〕
前記光学素子は前記撮像素子上に一体的に形成されている、項目２から９のいずれかに記載の撮像装置。
【００４３】
項目１２に記載の撮像装置によると、光学素子と、撮像素子との位置調整が不要になり、また、素子間の経時的な位置変化を低減させることができる。
【００４４】
〔項目１３〕
前記光学素子は、吸収型のＮＤフィルタであり、前記ＮＤフィルタに入射する光の量に対する前記ＮＤフィルタから出射する光の量の割合は、３０％以上５０％以下である、項目２から１２のいずれかに記載の撮像装置。
【００４５】
項目１３に記載の撮像装置によると、市販のＮＤフィルタを利用して、画像ノイズおよびゴースト像の少ない高精度な画像を取得することが可能な撮像装置を提供することができる。
【００４６】
〔項目１４〕
前記光学素子は、
特定の偏光軸の方向に振動する光を透過させる吸収型の直線偏光子と、
直線偏光を円偏光または楕円偏光に変換する位相板と、
を含み、
前記直線偏光子は、前記光学素子の前記光学領域側に配置され、前記位相板は、前記光学素子の前記撮像素子側に配置されている、項目２から１１のいずれかに記載の撮像装置。
【００４７】
項目１４に記載の撮像装置によると、画像ノイズおよびゴースト像の少ない高精度な画像を取得することが可能な撮像装置を提供することができる。
【００４８】
〔項目１５〕
前記位相板は、１／４波長板である、項目１４に記載の撮像装置。
【００４９】
項目１５に記載の撮像装置によると、市販の１／４波長板を利用して、画像ノイズおよびゴースト像の少ない高精度な画像を取得することが可能な撮像装置を提供することができる。
【００５０】
〔項目１６〕
前記位相板は、アクロマティック波長板である、項目１４に記載の撮像装置。
【００５１】
項目１６に記載の撮像装置によると、撮像する波長域が広帯域であっても、画像ノイズおよびゴースト像の少ない高精度な画像を取得することが可能な撮像装置を提供することができる。
【００５２】
〔項目１７〕
前記第１の光学領域は、近赤外領域における第１の波長域の第１の近赤外線を透過させる第１の分光透過率特性を有し、前記第２の光学領域は、前記第１の波長域とは異なる近赤外領域における第２の波長域の第２の近赤外線を透過させる第２の分光透過率特性を有し、
前記光学素子は、前記第１および第２の近赤外線を少なくとも吸収する、項目２に記載の撮像装置。
【００５３】
項目１７に記載の撮像装置によると、近赤外線を用いた撮影において、画像ノイズおよびゴースト像の少ない高精度な画像を取得することが可能な撮像装置を提供することができる。
【００５４】
〔項目１８〕
前記光学領域は、第２の光学領域、第３の光学領域、第４の光学領域、第５の光学領域、第６の光学領域、第７の光学領域、第８の光学領域および第９の光学領域をさらに含み、
前記撮像素子は、前記第３の光学領域に対応した複数の第３の画素、前記第４の光学領域に対応した複数の第４の画素、前記第５の光学領域に対応した複数の第５の画素、前記第６の光学領域に対応した複数の第６の画素、前記第７の光学領域に対応した複数の第７の画素、前記第８の光学領域に対応した複数の第８の画素、および前記第９の光学領域に対応した複数の第９の画素をさらに有し、
前記複数の第１の画素の１つと、前記複数の第２の画素の１つと、前記複数の第３の画素の１つと、前記複数の第４の画素の１つと、前記複数の第５の画素の１つと、前記複数の第６の画素の１つと、前記複数の第７の画素の１つと、前記複数の第８の画素の１つと、前記複数の第９の画素の１つとは、３×３の行列状に配置された９つの画素を形成し、前記９つの画素は、前記撮像素子において行および列方向に繰り返し配置され、
前記アレイ状光学素子はマイクロレンズアレイであり、前記マイクロレンズアレイの各マイクロレンズは、前記９つの画素に対応し、
前記マイクロレンズアレイは、前記第１の光学領域、前記第２の光学領域、前記第３の光学領域、前記第４の光学領域、前記第５の光学領域、前記第６の光学領域、前記第７の光学領域、前記第８の光学領域および前記第９の光学領域を透過したそれぞれの光を、前記複数の第１の画素、前記複数の第２の画素、前記複数の第３の画素、前記複数の第４の画素、前記複数の第５の画素、前記複数の第６の画素、前記複数の第７の画素、前記複数の第８の画素および前記複数の第９の画素にそれぞれ入射させ、
前記光学素子は、前記第１の波長域の光、前記第２の波長域の光、前記第３の光学領域を透過した光の波長域と同じ第３の波長域の光、前記第４の光学領域を透過した光の波長域と同じ第４の波長域の光、前記第５の光学領域を透過した光の波長域と同じ第５の波長域の光、前記第６の光学領域を透過した光の波長域と同じ第６の波長域の光、前記第７の光学領域を透過した光の波長域と同じ第７の波長域の光、前記第８の光学領域を透過した光の波長域と同じ第８の波長域の光および前記第９の光学領域を透過した光の波長域と同じ第９の波長域の光を少なくとも吸収する、項目２に記載の撮像装置。
【００５５】
項目１８に記載の撮像装置によると、複数の分光特性を有する画像を一度の撮影で取得でき、画像ノイズおよびゴースト像の少ない高精度な画像を取得することが可能な撮像装置を提供することができる。
【００５６】
〔項目１９〕
レンズ光学系と、
前記レンズ光学系によって集光された光を受光する撮像素子と、
前記レンズ光学系と前記撮像素子との間に配置されている光学素子であって、少なくとも可視光を吸収し、前記光学素子における光が透過する光透過領域において略同一の光吸収特性を有する光学素子と、
を備える、撮像装置。
【００５７】
項目１９に記載の撮像装置によると、画像ノイズおよびゴースト像の少ない高精度な画像を取得することが可能な撮像装置を提供することができる。
【００５８】
〔項目２０〕
項目１から１９のいずれかに記載の撮像装置と、
前記撮像装置から出力される画素信号を処理して画像情報を生成する信号処理部と、
前記画像情報に基づいて画像を表示する表示装置と、
を備える、撮像システム。
【００５９】
項目２０に記載の撮像システムによると、画像ノイズおよびゴースト像の少ない高精度な画像を取得することが可能な撮像装置を備える画像センシング用の撮像システムを提供することができる。
【００６０】
本開示の一態様に係る撮像装置によれば、例えば、光の偏光条件および撮影に用いる波長などの複数の撮影条件の下で、単一の撮像系を用いて複数の画像を同時に取得することができる。また、光学素子によりゴースト像を抑制できる。その結果、高精度な分光イメージングを行うことが可能な撮像装置を提供できる。
【００６１】
以下、図面を参照しながら、本開示のより具体的な実施の形態を説明する。以下の説明において、同一または類似する構成要素については同一の参照符号を付している。また、重複する説明は省略する場合がある。なお、本開示の実施の形態による撮像装置および撮像システムは、以下で例示するものに限られない。
【００６２】
（実施の形態１）
図１は、実施の形態１による撮像装置１００Ａを示す模式図である。
【００６３】
以下、図１に示すように、撮像装置１００Ａの中心軸である光軸１０の方向をｚ軸とし、ｚ軸に垂直な平面をｘｙ平面として撮像装置１００Ａの構成を説明する。なお、図１において、当業者の理解を容易にするために被写体１を示している。被写体１が撮像装置１００Ａの構成要素でないことは言うまでもない。
【００６４】
撮像装置１００Ａは、レンズ光学系Ｌと、光学素子６と、アレイ状光学素子７と、撮像素子９とを備えている。
【００６５】
レンズ光学系Ｌは、第１のレンズ２と、第２のレンズ５と、絞り３と、バンドパスフィルタアレイ４とを含む。第１のレンズ２は、被写体１からの光を集光して、絞り３に光を入射させる。第２のレンズ５は、バンドパスフィルタアレイ４を通過した光を集光する。本願明細書では、絞り３または絞り３の近傍の領域を「光学領域」と称する。
【００６６】
バンドパスフィルタアレイ４は、光学領域におけるｘｙ平面内に配置されている。バンドパスフィルタアレイ４は、複数のバンドパスフィルタから形成され得る。光学領域は、互いに異なる光学特性を有する第１の光学領域および第２の光学領域を少なくとも含んでいる。
【００６７】
第１のレンズ２および第２のレンズ５はそれぞれ、一枚のレンズで構成されていてもよいし、複数枚のレンズで構成されていてもよい。また、絞り３の前後において複数のレンズを配置する構成を採用してもよい。また、撮影する画角の範囲が狭い場合には、第１のレンズ２を省略してもよい。
【００６８】
アレイ状光学素子７は、例えばマイクロレンズアレイである。アレイ状光学素子７は、レンズ光学系Ｌの焦点近傍に配置され、レンズ光学系Ｌと撮像素子９との間に配置されている。
【００６９】
撮像素子９には、複数の画素８が配置されている。撮像素子９は、複数の第１の画素および複数の第２の画素を少なくとも有している。
【００７０】
アレイ状光学素子７は、第１の光学領域を透過した光を複数の第１の画素に入射させ、第２の光学領域を透過した光を複数の第２の画素に入射させる。
【００７１】
光学素子６は、光を吸収する材料から形成され得る部材（以下、「光吸収部材」と称する。）であり、主として撮像素子９の撮像面からの反射光を吸収する。具体的には、光学素子６は、第１の光学領域を透過した光の波長域と同じ第１の波長域（例えば赤色の波長域）の光および第２の光学領域を透過した光の波長域と同じ第２の波長域（例えば青色の波長域）の光を少なくとも吸収する。光学素子６は、光が透過する光透過領域において（すなわち、空間方向において）略同一の光吸収特性（すなわち、光吸収率）を有する。また、光学素子６は、第１および第２の光学領域を透過する光の波長域において波長方向に略一様の光吸収率を有する。
【００７２】
「空間方向に略同一の光吸収特性」とは、光透過領域において光吸収率が略同一であることを意味する。ここで、「略同一」とは、単位面積当たりの光吸収率が、光透過領域内において均一であるか、または、その吸収率の誤差が、光透過領域内において１０％以内であることを意味する。各波長域の光に対して、光学素子６は、光透過領域全体において略同一の光吸収率を有している。また、「波長方向に略一様の光吸収率」とは、光吸収率が第１および第２の光学領域を透過する光の波長域全体にわたって均一であるか、または、その誤差が、その波長域において１０％以内であることを意味する。
【００７３】
光学素子６は、レンズ光学系Ｌとアレイ状光学素子７との間に配置されている。ただし、これに限定されず、光学素子６は、例えば、バンドパスフィルタアレイ４と第２のレンズ５との間に配置され得る。光学素子６は、バンドパスフィルタアレイ４と撮像素子９との間に配置されていればよい。
【００７４】
次に、図２を参照しながら、バンドパスフィルタアレイ４の構成を詳細に説明する。
【００７５】
図２は、バンドパスフィルタアレイ４の斜視図である。
【００７６】
本実施の形態では、光学領域を９つに分割する例を説明する。分割する光学領域の数は、９つに限定されず、２以上の任意の整数にすることができる。
【００７７】
バンドパスフィルタアレイ４は、絞り３の近傍の光学領域に配置されている。バンドパスフィルタアレイ４は、９つの矩形バンドパスフィルタ４ａ〜４ｉにより構成されている。矩形バンドパスフィルタ４ａ〜４ｉは、ｘｙ平面上に３×３の行列状に配置されている。矩形バンドパスフィルタ４ａ〜４ｉの各々は、９つの光学領域の各々に配置されている。矩形バンドパスフィルタ４ａ〜４ｉの各々は、互いに異なる光の透過波長域を有している。
【００７８】
例えば、被写体１の撮影に用いる波長域を可視光である３８０ｎｍ〜７５０ｎｍの範囲とした場合、矩形バンドパスフィルタ４ａ〜４ｉに、透過波長域の幅を均等に割り当てることができる。具体的には、矩形バンドパスフィルタ４ａに透過波長域３９０ｎｍ〜４３０ｎｍを割り当て、バンドパスフィルタ４ｂに透過波長域４３０ｎｍ〜４７０ｎｍを割り当てることができる。以下、同様にバンドパスフィルタ４ｃに透過波長域４７０ｎｍ〜５１０ｎｍを割り当てることができる。バンドパスフィルタ４ｄに透過波長域５１０ｎｍ〜５５０ｎｍを割り当てることができる。バンドパスフィルタ４ｅに透過波長域５５０ｎｍ〜５９０ｎｍを割り当てることができる。バンドパスフィルタ４ｆに透過波長域５９０ｎｍ〜６３０ｎｍを割り当てることができる。バンドパスフィルタ４ｇに透過波長域６３０ｎｍ〜６７０ｎｍを割り当てることができる。バンドパスフィルタ４ｈに透過波長域６７０ｎｍ〜７１０ｎｍを割り当てることができる。バンドパスフィルタ４ｉに透過波長域７１０ｎｍ〜７５０ｎｍを割り当てることができる。
【００７９】
図示される構成例では、矩形バンドパスフィルタ４ａ〜４ｉの境界部は、隣り合うように配置されている。ただし、例えば、回折および境界部のエッジでの散乱に起因して、各バンドパスフィルタの透過光によるクロストークが発生し得る。これを考慮して、クロストークを低減するために、境界部に遮光領域を設けても良い。
【００８０】
次に、図３を参照して、アレイ状光学素子７および撮像素子９の構成を詳細に説明する。
【００８１】
図３は、アレイ状光学素子７および撮像素子９の構成を示す斜視図である。図示されるように、本実施の形態では、アレイ状光学素子７はマイクロレンズアレイである。マイクロレンズアレイを構成する各マイクロレンズ１１は、撮像素子９の表面付近に、ｘ方向およびｙ方向に２次元的に配置されている。
【００８２】
数万〜数百万個のマイクロレンズ１１がｘｙ平面に形成されている。マイクロレンズ１１の形状は、例えば、円形、四角形、または六角形である。その焦点距離は、数十〜数百ミクロン程度である。
【００８３】
マイクロレンズ１１は、レンズ光学系Ｌの焦点の近傍に配置されている。被写体１の実像は、マイクロレンズ１１上に形成される。複数の画素８は、マイクロレンズ１１の焦点位置の近傍に配置されている。
【００８４】
撮像素子９は、光電変換素子である数十万〜数千万個の画素８をｘｙ平面上に配置することにより構成されている。撮像素子９は、例えばＣＣＤ（Ｃｈａｒｇｅ  Ｃｏｕｐｌｅｄ  Ｄｅｖｉｃｅ）イメージセンサ、または、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサである。
【００８５】
図４は、アレイ状光学素子７（マイクロレンズアレイ）における任意の１つのマイクロレンズ１１と、それに対応する複数の画素８との関係を説明するための斜視図である。
【００８６】
１つのマイクロレンズ１１は、９つの画素８ａ〜８ｉに対応している。同時に取得される複数の画像の各々における１ピクセル分の情報が、図４に示す構成単位で得られる。
【００８７】
マイクロレンズ１１は、屈折率、撮像面との距離、および曲率半径等のパラメータを適切に設定して形成されている。図２におけるバンドパスフィルタ４ａ〜４ｉの９つの光学領域を通過した光は、マイクロレンズ１１によって分離され、９つの画素８ａ〜８ｉにそれぞれ独立して入射する。なお、光学領域の分割数に応じて、１つのマイクロレンズ１１に対応する画素数も変化する。
【００８８】
複数の画素８の各々は、入射した光をその光の強度に応じた画素信号に光電変換によって変換する。取得される画像の輝度信号は、この画素信号に基づいている。信号処理部（不図示）は、撮像素子９から出力される、各画素８に対応した画素信号を受け取る。信号処理部は、アレイ状光学素子７内の各マイクロレンズ１１における、図４に示す画素８ａに対応する画素群の輝度情報を取得する。信号処理部は、取得した画素群の輝度情報から第１の波長域における２次元画像の情報を生成する。信号処理部は、図４に示す画素８ｂ〜８ｉの画素群も同様に処理する。信号処理部は、９種類の波長域における２次元画像情報を出力する。このように、撮像装置１００を用いることにより、波長域の異なる光の情報に基づく複数の画像を同時に取得できる。
【００８９】
信号処理部は、半導体素子などのハードウェアにより構成され得る。信号処理部は、典型的にはイメージシグナルプロセッサ（ＩＳＰ）によって実現され得る。信号処理部は、演算装置（例えば、ＭＰＵ）、メモリおよびソフトウェアにより実現してもよい。
【００９０】
なお、マイクロレンズ１１からの信号光が、所定の画素以外の周辺の画素に入射しないように、例えば、画素８ａ〜８ｉの境界部においては、遮光領域または不感帯が設けられていてもよい。
【００９１】
図５は、各画素８の表面にマイクロレンズ１３を配置した撮像素子９を示す斜視図である。図示されるように、各画素８の表面にマイクロレンズ１３を配置してもよい。これにより、各画素８への光の入射効率を高めることができる。マイクロレンズ１３としては、例えば、ディジタルマイクロレンズ（ＤＭＬ）を用いることができる。ＤＭＬは、光の波長よりも小さな同心リング構造を粗密に配置することにより形成される。ＤＭＬは、実効的な屈折率分布の変化で光を集光する。
【００９２】
本実施の形態では、レンズ光学系Ｌと、アレイ状光学素子７との間に、光学素子６が配置されている。光学素子６として光吸収フィルタを用いることができる。例えば、光吸収フィルタとは、吸収型のＮＤ（Ｎｅｕｔｒａｌ  Ｄｅｎｓｉｔｙ）フィルタである。
【００９３】
図６は、光吸収フィルタと撮像装置９とを一体的に形成した構成例を示す斜視図である。図示されるように、光吸収層１４が光吸収フィルタとして機能している。光吸収層１４と撮像装置９とを一体的に形成してもよい。これにより、光学系を簡素化でき、光学系の組み立てや、調整が容易になる。
【００９４】
以下、光吸収フィルタを用いたゴースト光の低減の効果を詳細に説明する。
【００９５】
図７は、光吸収フィルタを備えていない撮像装置において、ゴーストが発生するメカニズムを説明するための図である。図７においては、被写体１のある１点からの光に着目し、簡略化の観点から、主光線のみ示している。以下、その主光線を用いて、ゴーストが発生するメカニズムを説明する。
【００９６】
被写体１からの光は、例えば、第１のレンズ２、バンドパスフィルタアレイ４内のバンドパスフィルタ４Ａ、第２のレンズ５、およびアレイ状光学素子７をこの順番で透過し、撮像素子９の所定の画素８に到達する。所定の画素とは、バンドパスフィルタ４Ａに対応する画素８Ａである。
【００９７】
画素８Ａに向かう光線の一部は、例えばアレイ状光学素子７および／または画素８Ａの表面で反射される。その反射光がゴースト光１５となる。例えば、ゴースト光１５は第２のレンズ５を透過してバンドパスフィルタアレイ４に入射する。この場合、例えばゴースト光１５の一部は、バンドパスフィルタ４Ａとは異なるバンドパスフィルタ４Ｂに到達する。
【００９８】
バンドパスフィルタ４Ａとバンドパスフィルタ４Ｂとでは透過する光の波長域が異なる。例えば、上述した干渉フィルタのようなバンドパスフィルタの特性から、バンドパスフィルタ４Ｂに到達するゴースト光１５は、バンドパスフィルタ４Ｂを殆ど透過しない。その殆どはバンドパスフィルタ４Ｂで正反射する。
【００９９】
その後、バンドパスフィルタ４Ｂにおいて反射したゴースト光１５は、第２のレンズ５を再び透過する。例えば、透過したゴースト光１５は、アレイ状光学素子７を介して画素Ａとは異なる位置に配置されている画素８Ｂに入射する。画素８Ｂは、バンドパスフィルタ４Ｂに対応する画素である。画素８Ｂはゴースト光１５を受光する。その結果、撮影する画像にはゴースト像が確認される。
【０１００】
図８は、本実施の形態による撮像装置１００Ａにおいて、ゴースト光１５が除去されるメカニズムを説明するための図である。図８を用いて、光吸収フィルタ（光学素子６）の効果を説明する。上述したように、光吸収フィルタとして、吸収型のＮＤフィルタを用いることができる。
【０１０１】
被写体１からの光は、例えば、第１のレンズ２、バンドパスフィルタアレイ４内のバンドパスフィルタ４Ａ、第２のレンズ５を透過した後、さらに光吸収フィルタ（光学素子６）を透過する。透過した光は、アレイ状光学素子７を介して、バンドパスフィルタ４Ａに対応する画素８Ａに到達する。
【０１０２】
上述したとおり、画素８Ａに到達した光線の一部は、画素８Ａの表面で反射する。その反射光がゴースト光１５となり得る。ゴースト光１５は、光吸収フィルタを透過することにより、その光の光量は減衰する。光吸収フィルタを透過したゴースト光１５の一部は、第２のレンズ５を透過し、バンドパスフィルタアレイ４Ａとは異なるバンドパスフィルタアレイ４Ｂに到達する。ゴースト光１５の一部は、バンドパスフィルタアレイ４Ｂで反射し、第２のレンズ５を再び透過する。第２のレンズ５を透過したゴースト光１５は、光吸収フィルタを再び通過する。その結果、ゴースト光１５の光量はさらに減衰する。最終的に、例えば、ゴースト光１５は画素８Ａとは異なる位置に配置されている画素８Ｂに到達する。
【０１０３】
このように、ゴースト光１５は光吸収フィルタを２度透過する。本願明細書では、撮像画像に寄与する光の光量に相当する信号強度を「撮像画像の信号光量」と称し、ゴースト像に寄与する光の光量に相当する信号強度を「ゴースト像の信号光量」と称する。光吸収フィルタの透過率をＴ（＜１）とすると、図８の構成では、撮像画像の信号光量に対するゴースト像の信号光量の割合は、図７の構成と比較して、Ｔの２乗倍となる。
【０１０４】
具体的に、例えば、図７の構成では、撮像画像の信号光量に対するゴースト像の信号光量の割合が３％であるとする。これに対して、図８に示すように光吸収フィルタを配置し、その透過率Ｔが５０％である場合、撮像画像の信号光量に対するゴースト像の信号光量の割合は、０．０３×０．５×０．５＝０．００７５となる。このように、信号光量の割合を０．７５％まで低減させることができる。
【０１０５】
また、光吸収フィルタの透過率Ｔが３０％である場合、撮像画像の信号光量に対するゴースト像の信号光量の割合は、０．０３×０．３×０．３＝０．００２７となる。このように、信号光量の割合を０．２７％までさらに低減させることができる。これらを考慮すると、信号光量の割合は３０％以上５０％以下となることが好ましいと考えられる。
【０１０６】
本実施の形態では、光吸収フィルタは、少なくとも可視光を吸収する光吸収特性を有している。ゴースト光を効率よく低減するためには、光吸収特性の波長域はバンドパスフィルタアレイ４が有する透過波長域（３９０ｎｍ〜７５０ｎｍ）と整合させておくとよい。例えば、本実施の形態のように、可視光を用いて異なる透過波長域の光に基づく複数の画像を同時に取得する場合、光吸収フィルタを配置することにより、画像形成に寄与する可視光のゴースト光による影響を低減できる。
【０１０７】
一方で、コンパクトデジタルカメラなどでは、可視光を透過させて近赤外線をカットする近赤外（ＩＲ）カットフィルタが一般的に用いられている。ＩＲカットフィルタは、画像形成に寄与しない不要な光（近赤外線）をカットする。この点において、本開示の光吸収フィルタの使用目的は、ＩＲカットフィルタのそれとは異なる。
【０１０８】
本開示によれば、例えば、可視光の代わりに近赤外線を用いて複数の画像を同時に撮影できる。近赤外線は、概ね７００ｎｍから２．５μｍの範囲内の波長を有する光（電磁波）である。近赤外線を用いる場合、矩形バンドパスフィルタ４ａ〜４ｉには、その波長帯域において透過波長域の幅を均等に割り当てることができる。また、光学素子６として、近赤外線を少なくとも吸収する光吸収特性を有する光吸収フィルタを用いればよい。これにより、画像形成に寄与する近赤外線のゴースト光による影響を効率よく低減できる。
【０１０９】
本実施の形態によれば、簡単な構成で、ゴースト光による影響が少ない画像情報を取得することができる。
【０１１０】
以下、本実施の形態の変形例を説明する。
【０１１１】
本実施の形態においては、バンドパスフィルタアレイ４の、各バンドパスフィルタ４ａ〜４ｉの透過波長域の幅を均等に４０ｎｍとした。本開示は、これに限定されず、製品仕様等に応じて各バンドパスフィルタ４ａ〜４ｉの透過波長域を設定すればよい。例えば、各バンドパスフィルタ４ａ〜４ｉにおいて、透過波長域の幅は一律でなくてもよい。数ｎｍの透過波長域の幅を設定して、狭帯域干渉フィルタをバンドパスフィルタとして利用してもよい。これにより、各波長の成分を有した光の情報をピンポイントで取得できる。
【０１１２】
また、本実施の形態においては、９つの矩形バンドパスフィルタを３×３の行列状に配置する例を示した。これ以外に、例えば、複数の矩形バンドパスフィルタを２行２列、４行４列、または５行５列状に配置してもよい。その場合には、複数の画素８は、バンドパスフィルタアレイ４の形状に合わせて配置すればよい。また、各バンドパスフィルタの形状は同一でなくてもよく、例えば、円形、長方形または多角形であってもよい。
【０１１３】
さらに、波長域の分割方向を１次元方向のみとすることができる。例えば、複数のバンドパスフィルタを、１行２列、１行３列、および１行４列状に配置してもよい。その場合には、アレイ状光学素子７として、マイクロレンズアレイの代わりにレンチキュラレンズを利用する。レンチキュラレンズは、波長域の分割方向にシリンドリカルレンズを配置することにより構成される。
【０１１４】
また、バンドパスフィルタアレイ４の撮像波長領域を、可視光の３８０ｎｍ〜７５０ｎｍの範囲とした。本開示はこれに限定されず、紫外線領域および／または赤外線領域を撮像波長領域に含めてもよい。
【０１１５】
図４に示す各画素８ａ〜８ｉの画素領域は、撮像素子９の１画素に対応している。本開示は、これに限定されず、例えば、各画素８ａ〜８ｉの画素領域を、撮像素子９の２×２の画素に対応させてもよい。つまり、１つのマイクロレンズに対応する画素数を光学領域の分割数の整数倍としてもよい。
【０１１６】
本実施の形態では、上述したように、各バンドパスフィルタ４ａ〜４ｉにおいて、透過波長域は互いに異なる。本開示は、これに限定されず、一部のバンドパスフィルタでは、それぞれの透過波長域（光学特性）が同じであってもよい。例えば、撮像素子の受光感度が低い波長域においては、複数のバンドパスフィルタの光学特性を同じにしてもよい。これら複数のバンドパスフィルタに対応する画素の出力信号を積算することで、ＳＮ比を改善できる。
【０１１７】
光学領域の光学特性としては、分光特性に限られない。バンドパスフィルタアレイ４の代わりに、偏光方向の異なる偏光子を光学領域に配置すれば、異なる偏光成分を有する光に基づく画像情報を同時に取得することが可能となる。この場合も、偏光子として、例えば、反射型のワイヤグリッド偏光子を用いると、本開示の課題と同様に、ゴースト像が発生し得る。本実施の形態と同等な構成により、複数の偏光条件下で単一の撮像系を用いて互いに偏光特性が異なる複数の画像を同時に取得することができる。ゴースト像の少ない、高精度な画像センシング用撮像装置を実現できる。
【０１１８】
本実施の形態においては、レンズ光学系Ｌと、アレイ状光学素子７との間に、光吸収フィルタ（光学素子６）を配置した。本開示はこれに限定されず、光吸収フィルタとアレイ状光学素子７とを一体的に形成してもよい。または、図６に示すように、光吸収フィルタと撮像素子９とを集積化し、一体的に形成してもよい。
【０１１９】
また、アレイ状光学素子７は、撮像素子９上に一体的に形成されていてもよい。または、アレイ状光学素子７と撮像素子９との間にマクロレンズ１３（図５）が設けられており、アレイ状光学素子７は、マクロレンズ１３（図５）を介して撮像素子９上に一体的に形成されていてもよい。これにより、ウエハプロセスにおいて位置合せが可能になるので、位置合せが容易となり、位置合せ精度を高めることができる。
【０１２０】
本開示は、光機能素子を有する光学系とアレイ状光学素子とを備えた撮像装置以外の撮像装置にも適用され得る。例えば、通常のデジタルカメラのように、光機能素子およびアレイ状光学素子がない場合においても、ゴースト光を低減できる。例えば、撮像素子からの反射光、つまりゴースト光は、レンズ光学系および鏡筒内部で反射する。それらの反射光によって、ゴースト像は発生し得る。レンズ光学系と、撮像素子とを少なくとも備える撮像装置において、レンズ光学系と撮像素子との間に、光学素子６を配置することにより、ゴースト像の少ない、高精度な撮像装置を提供することができる。
【０１２１】
（実施の形態２）
図９は、本実施の形態による撮像装置１００Ｂを示す模式図である。
【０１２２】
本実施の形態による撮像装置１００Ｂは、光学素子６として光吸収フィルタの代わりに偏光子１６および１／４波長板１７を備えている点で、実施の形態１による撮像装置１００Ａとは異なる。以下、実施の形態１と異なる点を中心に説明し、同様の内容についての詳細な説明は省略する。
【０１２３】
図示されるように、撮像装置１００Ｂは、第２のレンズ５とアレイ状光学素子７との間に配置された偏光子１６および１／４波長板１７を光学素子６として備えている。
【０１２４】
偏光子１６は、特定の偏光軸の方向に振動する光を透過させる吸収型の直線偏光子である。１／４波長板１７は、直線偏光を円偏光または楕円偏光に変換する位相板である。偏光子１６は、光学素子６のバンドパスフィルタアレイ４側に配置され、１／４波長板１７は、光学素子６の撮像素子９側に配置されている。
【０１２５】
なお、偏光子１６および１／４波長板１７は、図９に示すような位置に配置されていなくてもよい。例えば、偏光子１６および１／４波長板１７は、バンドパスフィルタアレイ４と第２のレンズ５との間に配置されていてもよい。または、偏光子１６は、バンドパスフィルタアレイ４と第２のレンズ５との間に配置され、１／４波長板１７は、第２のレンズ５とアレイ状光学素子７との間に配置されていてもよい。
【０１２６】
実施の形態１による撮像装置１００Ａには、簡単な構成でゴースト光を低減できるという利点がある。ただし、ゴースト光を完全に除去することはできない。ゴースト光を除去する効果（以下、「ゴースト光除去効果」と称する。）を高めるためには、光吸収フィルタの透過率を低くすることが求められる。しかし、光吸収フィルタの透過率を低くすると、撮像画像の信号に寄与する光自体の光量が減衰してしまう。このように、ゴースト光除去効果と、撮像感度の向上とはトレードオフの関係にある。
【０１２７】
本実施の形態による撮像装置１００Ｂによれば、光の偏光特性を利用することにより、原理的にはゴースト光を１００％除去することが可能となる。
【０１２８】
以下、図１０を参照しながら、光の偏光特性を利用してゴースト光を除去する原理を説明する。
【０１２９】
図１０は、図９における撮像系の一部を拡大して示した模式図である。図１０は、具体的には、バンドパスフィルタアレイ４から撮像素子９の付近までの光学系の構成を示している。なお、一部の光学素子は省略している。
【０１３０】
バンドパスフィルタアレイ４および第２のレンズ５を透過した信号光は、光軸上に配置された偏光子１６を透過する。偏光子１６は、図１０に示すｙ軸方向に振動する光のみを透過させる。光が偏光子を透過する際は、偏光子の透過軸方向（ｙ軸方向）における直線偏光成分が取り出され、透過軸方向とは垂直な方向（ｘ軸方向）における偏光成分はカットされる。例えば、信号光が、可視光であるとする。その光が、非偏光または円偏光である場合、偏光子１６での透過光の光量は入射光の光量に対して３５〜４５％程度に減衰する。
【０１３１】
被写体１からの光が、非偏光または円偏光である場合、偏光子１６の透過軸方向はｘ方向またはｙ方向でよい。一方で、被写体１からの光が、直線偏光である場合には、被写体１からの光の偏光方向と偏光子１６の透過軸方向とを平行にしておく。図１０においては、偏光子１６を透過した信号光１８の偏光方向をｙ軸方向とする。その場合、信号光１８の電場が振動する方向は、図１０（ａ）のようにｙ軸方向である。
【０１３２】
次に、信号光１８を１／４波長板１７に透過させる。これにより、信号光は、直線偏光から円偏光に変化する。１／４波長板１７の結晶軸２２が、ｙ軸に対し＋４５度または−４５度の方向と一致するように１／４波長板１７を光軸上に配置する。１／４波長板１７を透過した信号光１９の電場の振動は、図１０（ｂ）のようにｘｙ平面において回転しながらｚ軸方向に伝播する。
【０１３３】
円偏光となった信号光１９は、撮像素子９により受光される。実施の形態１と同様に、撮像素子９に到達した光線の一部は、撮像素子９の表面で反射される。その反射光がゴースト光２０となり得る。
【０１３４】
ゴースト光２０は、１／４波長板１７を再び透過し、円偏光から直線偏光に変換される。ゴースト光２１の偏光方向は、信号光１８の偏光方向と直交する。ゴースト光２１の電場は、図１０（ｃ）のようにｘ軸方向に振動する。ゴースト光２１は偏光子１６に再び入射する。しかし、ゴースト光２１の偏光方向と、偏光子１６の透過軸方向とは直交するので、ゴースト光２１は偏光子１６を透過せずに、吸収される。その結果、ゴースト光２１は、反射面となり得るバンドパスフィルタアレイ４に到達しないので、ゴースト像は発生しない。
【０１３５】
撮像装置１００Ｂによれば、被写体１からの光のうち、直線偏光の光のみが受光される。このため、一般のカメラに偏光フィルタを取り付けたときに得られるような効果を得ることができるという利点が得られる。例えば、被写体１において光の表面反射が生じている場合、その光の表面反射を低減することができる。また、水面およびガラス面からの反射光による写りこみを除去することができる。ガラス越しの撮影においても被写体１を鮮明に撮影することが可能となる。
【０１３６】
また、空気中の水蒸気による反射光を除去できるので、例えば青空の色調、山肌および建物を高いコントラストで撮影できる。
【０１３７】
また、被写体１からの光が非偏光または円偏光の場合、偏光子１６の透過軸方向は何れの方向でも構わない。そのため、偏光子１６と１／４波長板１７とを一体的に形成してもよい。一体化した素子を所定の角度に回転させる機構を設けることにより、所望の偏光状態の光に基づく画像を撮影することが可能となる。
【０１３８】
本実施の形態では、１／４波長板１７を用いる例を示した。ただし、一般的な波長板の性能は、使用する光の波長に大きく依存する。このため、例えば、可視光の範囲においては一定の位相差を一律に得ることはできない。
【０１３９】
波長板として、アクロマティック波長板を用いることにより、広範な波長域においてフラットな位相特性を得ることができる。アクロマティック波長板は、異なる分散特性を有する２つの結晶を組み合わせることにより得られる。アクロマティック波長板には、公知のものを広く用いることができる。アクロマティック波長板を用いることにより、ゴースト光除去効果を得ることができる。なお、波長範囲が狭い場合またはゴースト像がある程度許容される場合には、通常の波長板を使用してもよい。
【０１４０】
（実施の形態３）
本実施の形態による撮像装置１００Ｃは、光学領域Ｌに遮光領域を備えている点で、実施の形態１による撮像装置１００Ａとは異なる。
【０１４１】
図１１Ａは、実施の形態３の撮像装置１００Ｃを示す模式図である。本実施形態の撮像装置１００Ｃは、光軸Ｖを有するレンズ光学系Ｌと、レンズ光学系Ｌの焦点近傍に配置されたアレイ状光学素子Ｋと、撮像素子Ｎと、信号処理部Ｃとを備える。
【０１４２】
レンズ光学系Ｌは、複数の光学面領域を有する光学領域Ｌ１と、複数の開口部を有する絞りＳと、絞りＳを通過した光を集光するレンズＬ２とを備えている。光学領域Ｌ１は、絞りＳよりも被写体側に配置されている。レンズＬ２は、絞りＳよりも撮像素子側に配置されている。光学領域Ｌ１は、絞りＳの近傍に配置されている。ここで「近傍」とは、例えば絞り径の半分以下の距離の範囲を意味し、接触している場合を含む。本実施形態におけるレンズ光学系Ｌは、像側テレセントリック光学系である。
【０１４３】
図１１Ｂは、図１１Ａに示す光学領域Ｌ１における複数の光学面領域と、絞りＳにおける複数の開口部との位置関係を示す図である。図１１Ｂは、光学領域Ｌ１および絞りＳを被写体側から見たときの正面図である。図１１Ａは、図１１ＢにおけるＱ−Ｑ’線断面を示している。
【０１４４】
光学領域Ｌ１は、３行×３列に正方配列された９つの分光フィルタを有する。第１、第２、第３、第４の分光フィルタが設けられた領域は、それぞれ、光学系Ｌの光軸Ｖに対して、第９、第８、第７、第６の分光フィルタが設けられた領域と対称に位置している。各分光フィルタの形状は、いずれも正方形であり、面積はいずれも同じである。しかし、各光学領域の形状および面積は異なっていてもよい。９つの分光フィルタは、互いに異なる第１から第９の波長帯域の光をそれぞれ透過させる分光特性を有する。第１から第９の波長帯域は、可視光領域または近赤外領域に含まれる波長帯域であり得る。
【０１４５】
このような分光フィルタは、片面もしくは両面に誘電体多層膜を形成することによって実現できる。光学領域Ｌ１の像側には９つの開口部を有する絞りＳが配置されている。９つの開口部は、９つの分光フィルタにそれぞれ対向している。ここで「対向する」とは、光軸方向において近接して向き合って配置されていることを意味する。以下、９つの分光フィルタにおいて、開口部に対向する領域を、それぞれ、第１から第９の光学面領域（Ｄ１からＤ９）と称する。光学面領域を「透光領域」と称する場合もある。また、９つの分光フィルタにおいて、開口部に対向する領域以外の領域を、それぞれ、第１から第９の遮光領域と称する場合もある。この遮光領域に対向する絞りＳの領域は、光吸収部材で形成され得る。その遮光領域は、第１から第９の分光フィルタを透過する光の波長域において波長方向に略一様であり、かつ、空間方向に略一様である光吸収率を有する。なお、「空間方向に略一様である」とは実施の形態１において説明したとおりである。また、「波長方向に略一様である」とは、光吸収率が第１および第９の分光フィルタを透過する光の波長域全体にわたって均一であるか、または、その誤差が、その波長域において１０％以内であることを意味する。
【０１４６】
光学面領域Ｄ１からＤ４、およびＤ６からＤ９に対向する開口の形状は、いずれも半円形状である。第５の光学面領域Ｄ５に対向する開口の形状は円形状である。光学面領域Ｄ１からＤ４、およびＤ６からＤ９は、これらの領域を、光軸Ｖを中心に１８０°回転させた場合に、他の光学面領域と重ならないように配置されている。
【０１４７】
撮像素子Ｎにおける複数の画素は、各々が３行３列に配列された９つの画素Ｐ１からＰ９を含む複数の画素グループに分割されている。
【０１４８】
信号処理部Ｃは、撮像素子Ｎに電気的に接続された信号処理回路である。信号処理部Ｃは、撮像素子Ｎから出力された電気信号を処理して画像情報を生成・記録する。
【０１４９】
本実施形態では、光学領域Ｌ１の各光学面領域を通過した光は、絞りＳ、レンズＬ２の順に通過した後、アレイ状光学素子Ｋに入射する。アレイ状光学素子Ｋは、光学面領域Ｄ１からＤ９を通過した光を、それぞれ、撮像素子Ｎにおける各グループの画素Ｐ１からＰ９に入射させる。信号処理部Ｃは、画素Ｐ１からＰ９において得られる画素値から、第１から第９の波長帯域に対応する画像情報をそれぞれ生成し、出力する。
【０１５０】
図１１Ａにおいて、光束Ｂ２、Ｂ５、およびＢ８は、それぞれ、光学領域Ｌ１上の光学面領域Ｄ２、Ｄ５、およびＢ８を通過する光束である。これらの光束は、光学領域Ｌ１、絞りＳ、レンズＬ２、アレイ状光学素子Ｋをこの順に通過し、撮像素子Ｎ上の撮像面Ｎｉに到達する。なお、図１１Ａは、図１１Ｂに示すＱ−Ｑ’線断面図であるため、他の光学面領域を通過する光束については図示されていない。
【０１５１】
図１１Ａに示すように、アレイ状光学素子Ｋは、レンズ光学系Ｌの焦点近傍であって、撮像面Ｎｉから所定の距離だけ離れた位置に配置されている。
【０１５２】
図１２Ａは、図１１Ａに示すアレイ状光学素子Ｋおよび撮像素子Ｎを拡大して示す図である。図１２Ｂは、アレイ状光学素子Ｋと撮像素子Ｎ上の画素との位置関係を示す図である。アレイ状光学素子Ｋは、複数の光学要素Ｍ１（マイクロレンズ）が光軸に垂直な面に配列された構造を有する。アレイ状光学素子Ｋは、光学要素Ｍ１が形成された面が撮像面Ｎｉ側に向かうように配置されている。撮像面Ｎｉには、画素Ｐが行列状に配置されている。前述のように、画素Ｐは、画素Ｐ１から画素Ｐ９に区別できる。
【０１５３】
画素Ｐ１から画素Ｐ９は、３行３列で１組となるように配置されている。アレイ状光学素子Ｋは、その光学要素であるマイクロレンズＭ１の１つが、撮像面Ｎｉ上における３行３列の画素Ｐ１から画素Ｐ９に対応する（覆う）ように配置されている。撮像面Ｎｉ上には、各画素の表面を覆うようにマイクロレンズＭｓが設けられている。
【０１５４】
アレイ状光学素子Ｋは、光学領域Ｌ１上の光学面領域Ｄ１からＤ９を通過したそれぞれの光束の大部分が、それぞれ撮像面Ｎｉ上の画素Ｐ１からＰ９に到達するように設計されている。具体的には、アレイ状光学素子Ｋの屈折率、撮像面Ｎｉからの距離およびマイクロレンズＭ１表面の曲率半径等のパラメータを適切に設定することで、上記構成が実現する。
【０１５５】
以上の構成により、画素Ｐ１からＰ９は、互いに異なる波長帯域の光に対応する複数の画像情報をそれぞれ生成する。つまり、撮像装置１００Ｃは、互いに異なる波長帯域の光によって形成される複数の画像情報を、単一の撮像光学系で、かつ１回の撮像で取得することができる。
【０１５６】
本実施形態では、絞りＳにおける中央の開口部を除く各開口部が、光軸Ｖを中心に回転したときに他の開口部と重ならないように配置されている。このため、ゴースト光の発生を抑制することができる。以下、この効果を説明する。
【０１５７】
図１３Ａおよび図１３Ｂは、ゴースト光の抑制効果を説明するための図である。まず、光学面領域Ｄ１からＤ９に対応（対向）する絞りＳの開口部が全て円形状である場合のゴースト光の発生について説明する。図１３Ａは、光学面領域Ｄ１からＤ９が全て円形形状である場合のゴースト光の発生原理を示している。図１３Ａでは、物体（被写体）から光学面領域Ｄ２およびＤ５に入射する２つの光束に着目して図示されている。
【０１５８】
光束Ｂ５は、光学領域Ｌ１の光学面領域Ｄ２、絞りＳ、レンズＬ２、アレイ状光学素子Ｋをこの順に通過し、撮像素子Ｎの撮像面Ｎｉに到達する。各画素に入射した光の一部は画像信号として検出され、他の一部は正反射されて反射光Ｂ５’が発生する。レンズ光学系Ｌは、像側テレセントリック光学系であるため、反射光Ｂ５’は撮像面の法線方向に反射する。反射光Ｂ５’は、アレイ状光学素子Ｋ、レンズＬ２、絞りＳをこの順に通過し、光学領域Ｌ１の光学面領域Ｄ５に到達する。反射光Ｂ５’の分光分布（波長帯域）は、光学面領域Ｄ５の透過波長帯域と同じであるため、反射光Ｂ５’は光学面領域Ｄ５でほとんど透過し、物体側へ戻る。
【０１５９】
光束Ｂ２は、光学領域Ｌ１の光学面領域Ｄ２、絞りＳ、レンズＬ２、アレイ状光学素子Ｋをこの順に通過し、撮像素子Ｎの撮像面Ｎｉに到達する。各画素に入射した光の一部は画像信号として検出され、他の一部は正反射されて反射光Ｂ２’が発生する。レンズ光学系Ｌは、像側テレセントリック光学系であるため、反射光Ｂ５’は入射光と同じ角度の大きさで反射する。反射光Ｂ５’は、アレイ状光学素子Ｋ、レンズＬ２、絞りＳをこの順に通過し、光学領域Ｌ１の光学面領域Ｄ８に到達する。ここで、光学面領域Ｄ８の透過波長帯域と光学面領域Ｄ２の透過波長帯域が異なる場合、光学面領域Ｄ２の透過波長帯域以外の波長の光は光学面領域Ｄ８でほとんど反射される。このため、光学面領域Ｄ８に入射した光の大部分は正反射され、反射光Ｂ２”が発生する。反射光Ｂ２”は、絞りＳ、レンズＬ２、アレイ状光学素子Ｋをこの順に通過し、撮像素子Ｎの撮像面Ｎｉに到達する。レンズ光学系Ｌが像側テレセントリック光学系であるため、光学面領域Ｄ２を通過した光束は、上記のような経路を辿り、撮像面に到達した光はゴースト光となる。ここでは、光学面領域Ｄ２のみに着目して説明したが、実際にはＤ５以外の他の光学面領域を透過する光についてもゴースト光が発生する。
【０１６０】
このようなゴースト光が発生すると、画素の情報の中に、本来必要な分光情報に加えて不要な分光情報が混ざることになる。このため、高精度な分光情報の取得の妨げとなる。
【０１６１】
次に、光学面領域Ｄ１からＤ４、Ｄ６からＤ９が、図１１Ｂに示すように、光軸Ｖに対して対称的に配置されていない場合におけるゴースト光抑制の効果を説明する。図１３Ｂは、光学面領域Ｄ１からＤ９が図１１Ｂに示す形状を有している場合の光路を示している。ここでは、光学面領域Ｄ２およびＤ５の２つの光束に着目して図示されている。光束Ｂ５は、図１３Ａの場合と同じ光路を辿り、反射光Ｂ５’は物体側へ戻る。一方、光束Ｂ２は、図１３Ａの場合と同じ光路を辿り、図１１Ｂに示す領域Ｄ２’に向かって戻される。このため、光学領域Ｌ１に到達する前に絞りＳによって光束Ｂ２’のほとんどが遮光される。同様に、光束Ｂ５以外の全ての光束（図示せず）についても、撮像面からの反射光のほとんどが絞りＳによって遮光される。従って、図１３Ａを参照しながら説明したゴースト光はほとんど発生しない。すなわち、図１３Ｂの構成ではゴースト光を抑制することができる。
【０１６２】
このように、光学面領域を図１１Ｂのような構成にすることにより、ゴースト光を低減することができる。光学面領域Ｄ１からＤ９にそれぞれ対向する絞りＳの９つの開口部が全て円形形状である場合と比べて、高精度な分光画像の取得が可能となる。
【０１６３】
（実施の形態４）
本実施の形態による撮像装置１００Ｄは、実施の形態３と同様に光学領域Ｌに遮光領域を備えている点で、実施の形態１による撮像装置１００Ａとは異なる。
【０１６４】
図１４Ａは、本実施形態の撮像装置１００Ｄを示す模式断面図である。本実施形態の撮像装置１００Ｄは、光軸Ｖを有するレンズ光学系Ｌと、レンズ光学系Ｌの焦点近傍に配置されたアレイ状光学素子Ｋと、撮像素子Ｎと、信号処理部Ｃとを備える。以下、実施の形態３と共通する部分の説明は省略し、異なる点を主に説明する。
【０１６５】
図１４Ｂは、図１４Ａに示す光学領域Ｌ１の各光学領域と絞りＳの開口部との位置関係を示す図である。図１４Ｂは、光学領域Ｌ１および絞りＳを被写体側から見たときの正面図である。図１４Ａは、図１４ＢにおけるＱ−Ｑ’線断面を示している。
【０１６６】
光学領域Ｌ１は、第１から第４の波長帯域の光をそれぞれ透過させる第１から第４の光学領域（Ｄ１〜Ｄ４）と、光を波長帯域に関わらず透過させる第５の光学領域（Ｄ５）と、第６から第９の波長帯域の光をそれぞれ透過させる第６から第９の光学領域（Ｄ６〜Ｄ９）とを有する。第１から第９の光学領域は、３行３列に一定の間隔で配列されている。各光学領域の形状は、いずれも正方形であり、面積はいずれも同じである。しかし、各光学領域の形状および面積は異なっていてもよい。
【０１６７】
第１から第４、および第６から第９の光学領域は、例えば、一方または両方の面に誘電体多層膜を用いたフィルタを形成することによって実現され得る。第５の光学領域は、例えば透明ガラスによって形成され得る。第５の光学領域Ｄ５には、何も設けられていなくてもよい。すなわち、第５の光学領域Ｄ５は、開口であってもよい。後述するように、第５の光学領域Ｄ５に対向する絞りＳの部分は遮光部（すなわち、遮光領域）である。このため、第５の光学領域Ｄ５は透光性を有しない部材、例えば光吸収部材で構成されていてもよい。第１から第４、および第６から第９の波長帯域は、全て異なっていてもよいし、これらの一部が同じであってもよい。第１から第４、および第６から第９の波長帯域は、例えば、可視光領域または近赤外領域に含まれる波長帯域であってもよい。
【０１６８】
絞りＳの遮光領域は、実施の形態３と同様に第１から第９の光学領域を透過する光の波長域において波長方向に略一様であり、かつ、空間方向に略一様である光吸収率を有する。なお、「空間方向に略一様である」とは実施の形態１において説明したとおりである。また、「波長方向に略一様である」とは、光吸収率が第１および第９の光学領域を透過する光の波長域全体にわたって均一であるか、または、その誤差が、その波長域において１０％以内であることを意味する。
【０１６９】
絞りＳは、光学領域Ｄ１からＤ４、およびＤ６からＤ９に対向する位置に開口部を有する。光学領域Ｄ５に対向する部分は光を透過させない遮光部である。このため、光学領域Ｄ５を透過した光は撮像素子Ｎにおける画素に入射しない。図１４Ｂに示す例では、１つの開口部の面積は、対向する光学領域の面積の７０％程度であるが、これに限定されない。
【０１７０】
本実施形態では、光学領域Ｌ１の各光学領域を通過した光は、絞りＳ、レンズＬ２の順に通過し、アレイ状光学素子Ｋに入射する。アレイ状光学素子Ｋは、光学領域Ｄ１からＤ４、およびＤ６からＤ９を通過した光を、撮像素子Ｎの各グループにおける画素Ｐ１からＰ４、およびＰ６からＰ９にそれぞれ入射させる。信号処理部Ｃは、画素Ｐ１からＰ４、およびＰ６からＰ９において得られる画素値から、それぞれ第１から第４および第６から第９の波長帯域に対応する画像情報を生成し、出力する。但し、光学領域Ｄ５に対応する絞りＳの部分は遮光部であるため、光学領域Ｄ５を透過した光束は画素Ｐ５には到達しない。従って、画素Ｐ５からは画素値は得られない。
【０１７１】
図１４Ａにおいて、光束Ｂ２は、光学領域Ｌ１上の光学領域Ｄ２を通過する光束であり、光束Ｂ８は、光学領域Ｌ１上の光学領域Ｄ８を通過する光束である。光束Ｂ２、Ｂ８は、光学領域Ｌ１、絞りＳ、レンズＬ２、アレイ状光学素子Ｋをこの順に通過し、撮像素子Ｎ上の撮像面Ｎｉに到達する。図１４Ａは、図１４ＢにおけるＱ−Ｑ’線断面図であるため、他の光学領域を通過する光束については図示されていない。
【０１７２】
本実施形態では、絞りＳにおいて、光学領域Ｄ５に対向する位置が遮光されているため、クロストーク光を抑制することができる。以下、この効果を説明する。
【０１７３】
図１５Ａおよび１５Ｂは、クロストーク光の抑制効果を説明するための図である。まず、光学領域Ｄ５が第５の波長帯域の光を透過し、かつ絞りＳにおいて光学領域Ｄ５に対応する位置が遮光されていない場合におけるクロストーク光の発生について説明する。図１５Ａは、絞りＳにおいて光学領域Ｄ５に対応する位置が遮光されていない場合の隣接する画素間のクロストーク光を示している。各矢印は、クロストーク光が発生する方向を示している。画素Ｐ１では、３つの画素Ｐ２、Ｐ４、およびＰ５との間で相互にクロストーク光が発生する。画素Ｐ２では、５つの画素Ｐ１、Ｐ３、Ｐ４、Ｐ５、およびＰ６との間で相互にクロストーク光が発生する。画素Ｐ５では、８つの画素Ｐ１からＰ４、およびＰ６からＰ９との間で相互にクロストーク光が発生する。他の画素においても同様にクロストーク光が発生する。
【０１７４】
このようなクロストーク光が発生すると、各画素の情報の中に、本来必要な分光情報に加えて不要な分光情報が混ざることになる。このため、高精度な分光情報取得の妨げとなる。
【０１７５】
図１５Ｂは、本実施形態のように、絞りＳにおいて光学領域Ｄ５に対向する部分が遮光されている場合における、隣接する画素間のクロストーク光を示している。画素Ｐ１では、２つの画素Ｐ２、Ｐ４との間で相互にクロストーク光が発生する。画素Ｐ２では、４つの画素Ｐ１、Ｐ３、Ｐ４、およびＰ６との間で相互にクロストーク光が発生する。他の画素においても同様にクロストーク光が発生する。画素Ｐ５については、光学領域Ｄ５に対向する位置が遮光されているため、他の画素との間でクロストーク光が発生することはない。
【０１７６】
このように、本実施形態では、絞りＳにおいて光学領域Ｄ５に対向する位置が遮光されているため、クロストーク光を低減することができる。このため、絞りＳにおいて光学領域Ｄ５に対向する位置が遮光されていない場合と比べて、高精度な分光情報の取得が可能である。
【０１７７】
絞りＳにおいて光学領域Ｄ５に対向する位置が遮光されると、取得できる分光画像の種類が９つから８つに減少する。しかし、必要な分光情報が８つ以下の用途においては、遮光部の導入は、クロストーク光を低減するための有効な手段となる。
【０１７８】
本実施形態では、光学領域Ｄ５が遮光されているため、さらにゴースト光の発生も抑えることができる。以下、この効果を説明する。
【０１７９】
図１６Ａおよび１６Ｂは、ゴースト光の抑制効果を説明するための図である。まず、光学領域Ｄ５が第５の波長帯域の光を透過し、かつ絞りＳにおいて光学領域Ｄ５に対応する位置が遮光されていない場合のゴースト光の発生について説明する。図１６Ａは、絞りＳにおいて光学領域Ｄ５に対応する位置が遮光されていない場合のゴースト光の発生原理を示している。ここでは、光学領域Ｄ２を透過する光束Ｂ２のみに着目して説明する。光束Ｂ２は、光学領域Ｌ１の光学領域Ｄ２、絞りＳ、レンズＬ２、アレイ状光学素子Ｋをこの順に通過し、撮像素子Ｎの撮像面Ｎｉに到達する。ここで、各画素に入射した光の一部は画像信号として検出され、他の一部は正反射されて反射光Ｂ２’が発生する。反射光Ｂ２’は、アレイ状光学素子Ｋ、レンズＬ２、絞りＳをこの順に通過し、光学領域Ｌ１の光学領域Ｄ５およびＤ８に到達する。ここで、各光学領域が誘電体多層膜によって形成され、光学領域Ｄ２で透過する光の波長帯域と光学領域Ｄ５およびＤ８で透過する光の波長帯域とが異なる場合、反射光Ｂ２”が発生する。これは、誘電体多層膜では、透過波長帯域以外の波長の光のほとんどが反射されることから、光学領域Ｄ５およびＤ８に入射した光の大部分が正反射されるからである。反射光Ｂ２”は、絞りＳ、レンズＬ２、アレイ状光学素子Ｋをこの順に通過し、撮像素子Ｎの撮像面Ｎｉに到達する。このような経路で撮像面に到達した光はゴースト像を形成する。ここでは、光学領域Ｄ２のみに着目して説明したが、実際には、光学領域Ｄ２以外を透過する光によってもゴースト像が発生する。
【０１８０】
このようなゴースト像が発生すると、画素の情報の中に、本来必要な分光情報に加えて不要な分光情報が混ざることになる。このため、高精度な分光情報の取得の妨げとなる。
【０１８１】
図１６Ｂは、本実施形態のように、絞りＳにおいて光学領域Ｄ５に対向する位置が遮光されている場合のゴースト光の発生原理を示している。図１６Ｂでも、光学領域Ｄ２を透過する光束Ｂ２のみに着目して図示されている。光束Ｂ２は、図１６Ａの場合と同様に、撮像面Ｎｉで一部が正反射されて、反射光Ｂ２’が発生する。反射光Ｂ２’は、アレイ状光学素子Ｋ、レンズＬ２を通過し、その一部が絞りＳにおいて光学領域Ｄ５に対向する遮光領域に到達して吸収され、他の一部が光学領域Ｄ８に到達する。図１６Ａの場合と同様に、光学領域Ｄ８に入射した光の大部分が正反射され、反射光Ｂ２”が発生する。反射光Ｂ２”は、図１６Ａの場合と同様に、撮像素子Ｎにおける撮像面Ｎｉに到達する。このような経路で撮像面に到達した光はゴースト像を形成する。
【０１８２】
このようなゴースト像が発生すると、画素の情報の中に、本来必要な分光情報に加えて不要な分光情報が混ざることになる。しかし、その量は図１６Ａの場合と比べて抑制されている。
【０１８３】
このように、本実施形態によれば、絞りＳにおいて光学領域Ｄ５に対向する位置に遮光部があることにより、ゴースト像を低減することができる。このため、遮光部がない場合と比べて、高精度な分光情報の取得が可能である。
【０１８４】
（実施の形態５）
図１７は、撮像装置３１を備える分光撮像システム３０の全体構成を示す概略図である。
【０１８５】
図示されるように、分光撮像システム３０は、撮像装置３１と、撮像装置３１から出力される信号を処理する信号処理装置３２とを備えている。なお、上述した信号処理部Ｃは信号処理装置３２に相当する。
【０１８６】
撮像装置３１には、本開示の撮像装置１００Ａから１００Ｄを用いることができる。これにより、信号処理装置３２は、ゴースト光が低減された光の情報に基づく信号を処理することができる。信号処理装置３２は、撮像装置３１からの出力信号を処理して、映像信号を生成する。ディスプレイ３７は、信号処理装置３２により生成された映像信号に基づいて二次元分光画像を表示する。なお、例えば映像信号とは、各画素の輝度および色差信号である。
【０１８７】
信号処理装置３２は、画像演算部３３と、画像メモリ３４と、分光測定部３５と、画像出力部３６とを含む。
【０１８８】
画像演算部３３は、例えばバンドパスフィルタ処理、マイクロレンズアレイの感度の校正、撮像素子の画素間のクロストークの補正、および映像信号の演算処理などを行う。画像演算部３３は、バンドパスフィルタの各波長に対応する２次元画像を生成する。
【０１８９】
画像メモリ３４は、バンドパスフィルタの各波長に対応する２次元画像をディジタルデータとして記録する。例えば、画像メモリ３４はフレームメモリから構成される。
【０１９０】
分光測定部３５は、画像メモリ３４から２次元画像データを読み出して処理する。分光測定部３５は、各波長領域の２次元画像データを生成し、分析を行う。分析結果はグラフ化される。
【０１９１】
画像出力部３６は、グラフ化されたデータを映像信号に変換する。
【０１９２】
信号処理部３２は、半導体素子などにより構成され得る。信号処理部３２は、典型的にはイメージシグナルプロセッサ（ＩＳＰ）によって実現され得る。ＩＳＰ内部のメモリには、各構成要素の機能を発揮するコンピュータプログラムが実装されている。ＩＳＰ内部のプロセッサが逐次コンピュータプログラムを実行することにより、各構成要素の機能が実現されてもよい。このように、信号処理部３２は、ハードウェアのみで構成してもよいし、ハードウェアおよびソフトウェアを組み合わせることにより実現してもよい。
【０１９３】
ディスプレイ３７は、映像信号に基づいて二次元分光画像を表示する。
【０１９４】
なお、信号処理装置３２の代わりに、撮像装置３１に直接接続することが可能な外部機器、例えばパソコンなどを用いて、撮像装置３１からの出力信号を処理してもよい。
【産業上の利用可能性】
【０１９５】
本開示にかかる撮像装置は、食品分析用カメラ、肌診断用カメラ、内視鏡カメラ、カプセル内視鏡、車載カメラ、監視カメラ、デジタルスチルカメラ、およびデジタルビデオカメラなどの撮像装置として有用である
【符号の説明】
【０１９６】
Ｌ            レンズ光学系
Ｌ１          光学領域
Ｌ２          レンズ
Ｄ１〜Ｄ９  光学面領域
Ｋ            アレイ状光学素子
Ｎｉ            撮像面
Ｍｓ          画素上のマイクロレンズ
Ｐ１〜Ｐ９    撮像素子上の画素
Ｃ              信号処理部
１      被写体
２      第１のレンズ
３、Ｓ      絞り
４      バンドパスフィルタアレイ
４ａ〜４ｉ  矩形バンドパスフィルタ
４Ａ、４Ｂ    バンドパスフィルタ
５      第２のレンズ
６      光吸収フィルタ
７      マイクロレンズアレイ
８、８ａ〜８ｉ  画素
９、Ｎ      撮像素子
１０    レンズ光学系の光軸
１１、１３、Ｍ１    マイクロレンズ
１２    マイクロレンズの光軸
１４    光吸収層
１５、２０、２１    ゴースト光
１６    偏光子
１７    １／４波長板
１８    直線偏光の信号光
１９    円偏光の信号光
２２    結晶軸
３０    分光撮像システム
３１、１００Ａ、１００Ｂ、１００Ｃ、１００Ｄ    撮像装置
３２    信号処理装置
３３    画像演算部
３４    画像メモリ
３５    分光測定部
３６    画像出力部
３７    ディスプレイ
【図１】
0006536877.tif 000002
【図２】
0006536877.tif 000003
【図３】
0006536877.tif 000004
【図４】
0006536877.tif 000005
【図５】
0006536877.tif 000006
【図６】
0006536877.tif 000007
【図７】
0006536877.tif 000008
【図８】
0006536877.tif 000009
【図９】
0006536877.tif 000010
【図１０】
0006536877.tif 000011
【図１１Ａ】
0006536877.tif 000012
【図１１Ｂ】
0006536877.tif 000013
【図１２Ａ】
0006536877.tif 000014
【図１２Ｂ】
0006536877.tif 000015
【図１３Ａ】
0006536877.tif 000016
【図１３Ｂ】
0006536877.tif 000017
【図１４Ａ】
0006536877.tif 000018
【図１４Ｂ】
0006536877.tif 000019
【図１５Ａ】
0006536877.tif 000020
【図１５Ｂ】
0006536877.tif 000021
【図１６Ａ】
0006536877.tif 000022
【図１６Ｂ】
0006536877.tif 000023
【図１７】
0006536877.tif 000024